(57)【要約】      （修正有）【課題】深海底下に於いて原油掘削事故による原油の自噴を封鎖する方法を提供する。【解決手段】原油が噴出をしている深海底下の原油流出口ｅの真上の部分に漁網で出来ている袋ｂ、又は金網で出来ている袋ｂの内部に御影石ｎ、又は大理石ｎを入れた袋ｂをピラミッド形状の正四角錐形状、又は円錐形状に積み重ねて小さい小山を形成したあと、御影石ｎ、又は大理石ｎをいれた漁網で出来ている袋ｂ、又は金網で出来ている袋ｂを使用して形成をしている小さい小山の上から、砕石ｃ、又は小石ｃを入れた漁網で出来ている袋ｂ、又は金網で出来た袋ｂを小さい小山の上から積み重ねて積層をしたあと、帆布で出来ている袋ｆの内部に砂ｇを入れた、帆布で出来ている袋ｆを小さい小山の上から積み重ねる。【選択図】図４
2012007316.tif 000002
【特許請求の範囲】
【請求項１】
2010年4月20日にルイジアナ州の沖合にて石油掘削中に石油掘削用のパイプが破損をして地下6,000mの海底油田から海底下1,500mの地点にて450気圧の圧力にて暴墳をしている、破損をした石油掘削用のパイプから噴出をしている原油を止めるために、まず、第１に、原油が噴出をしている深海底下の原油流出口（e）の真上の部分に漁網で出来ている袋（b）、又は金網で出来ている袋（b）の内部に御影石（n）、又は大理石（n）を入れた袋（b）をピラミッド形状の正四角錐形状、又は円錐形状に積み重ねて小さい小山を形成したあと、御影石（n）、又は大理石（n）をいれた漁網で出来ている袋（b）、又は金網で出来ている袋（b）を使用して形成をしている小さい小山の上から、第２に、原油の流出の隙間を小さくする目的にて砕石（c）、又は小石（c）を入れた漁網で出来ている袋（b）、又は金網で出来た袋（b）を小さい小山の上から積み重ねて積層をしたあと、第３として、さらに、一段と原油の流出を小さくする目的にて、帆布で出来ている袋（f）の内部に砂（g）を入れた、帆布で出来ている袋（f）を小さい小山の上から積み重ねて、海底下1,500mの地点にて450気圧の圧力にて暴墳をしている原油の噴出を止めることを目的としたことを特徴とした深海底下に於いて原油掘削の事故により原油が自噴するのを封鎖する方法、及び装置。
【発明の詳細な説明】
【技術分野】
【０００１】
本発明は、深海底下に於いての原油掘削時に、原油掘削の事故により原油が自噴、及び噴出による流出を止めることを目的とする。
【背景技術】
【０００２】
従来、深海底下、例えば水深が1,500mの海底下に於いての原油の自噴、及び噴出による流出を止めることは、高い水圧がともなうこともあり不可能である。
【発明の概要】
【発明が解決しようとする課題】
【０００３】
深海底下に於いての原油が自噴、及び噴出の圧力を御影石、大理石、砕石、小石、及び砂を使用して噴出をする圧力を分散させて原油流出の圧力を極く小さくして、原油の粘性を利用して原油流出を止めることを目的とする。
【課題を解決するための手段】
【０００４】
前期目的を達成するために、本発明の構成は、墓石に大きさが類似の御影石、又は建設、又は道路建設の現場にて使用する砕石を、金網、又は魚を獲るための漁網と同様の網目の、漁網で出来ている袋の内部に御影石、又は砕石、又は小石、又は砂を入れて御影石、又は砕石、又は小石、又は砂を入れた網で出来ている袋を、原油流出の流出口の真上の部分に積み重ねて積層をして、原油流出の圧力を御影石、又は砕石、又は小石、又は砂を使用して原油流出の圧力を分散させて原油流出の圧力を極く小さくすることにより、原油流出は原油の粘性にて、自然に原油の流出を止めることが出来ることになる。
【発明の効果】
【０００５】
本発明によれば、金網、又は魚を獲る柔軟性がある網目の漁網で出来ている袋の内部に御影石、又は大理石、又は、建設、又は道路建設の現場にて使用する砕石、又は小石を入れているので、目的とする深海底の深い海底下の目的地といえども御影石、又は大理石、又は、砕石、又は小石を深海底下の目的地に積み重ねて積層をすることが容易に出来ることにより、原油流出の圧力は御影石と御影石、又は大理石と大理石、又は、砕石と砕石、又は小石と小石、又は砂と砂との接合により原油流出の圧力は分散をされて極く小さくなる効果がある。
【図面の簡単な説明】
【０００６】
【図１】漁網で出来ている袋（b）、又は金網で出来ている袋（b）の内部に砕石（c）、又は小石（c）を入れた袋（b）を、クレーンの先端部分（a）に吊り下げている状態を図1に示している。図1は縦断面図で、図中の符号（a）はクレーンの先端部分で、図中の符号（b）は漁網で出来ている袋、又は金網で出来ている袋で、図中の符号（c）は砕石、又は小石である。
【図２】原油が噴出をしている深海底下の原油流出口（e）の真上の部分に漁網で出来ている袋（b）、金網で出来ている袋（b）の内部に砕石（c）、又は小石（c）を入れた袋（b）をピラミッド形状の正四角錐形状、又は円錐形状に砕石、又は小石を入れた袋を積み重ねて小さい小山を形成している形状を図2に示している。図2は縦断面図で、図中の符号（b）は漁網で出来ている袋、又は金網で出来ている袋で、図中の符号（c）は砕石、又は小石で、図中の符号（d）は海底の地面で、図中の符号（e）は原油流出口で、図中の符号（h）は原油掘削用パイプで、図中の符号（ｋ）は海面である。
【図３】原油が噴出をしている深海底下の原油流出口（e）の真上の部分に漁網で出来ている袋（b）、又は金網で出来ている袋（b）の内部に砕石（c）、又は小石（c）を入れた袋（b）をピラミッド形状の正四角錐形状、又は円錐形状に積み重ねて小さい小山を形成したあと、砕石（c）、又は小石（c）をいれた漁網で出来ている袋（b）、又は金網で出来ている袋（b）を使用して形成をしている小さな小山の上から、帆布で出来ている袋（f）の内部に砂（g）を入れた、帆布で出来ている袋（f）を積み重ねている状態を図3に示している。図3は縦断面図で、図中の符号（b）は漁網で出来ている袋、又は金網で出来ている袋で、図中の符号（c）は砕石、又は小石で、図中の符号（d）は海底の地面で、図中の符号（e）は原油流出口で、図中の符号（h）は原油掘削用パイプで、図中の符号（f）は帆布で出来ている袋で、図中の符号（g）は砂で、図中の符号（ｋ）は海面である。
【図４】2010年4月20日にルイジアナ州の沖合にて石油掘削中に石油掘削用のパイプが破損をして地下6,000mの海底油田から海底下1,500mの地点にて450気圧の圧力にて暴噴をしている、破損をした石油掘削用のパイプから噴出をしている原油を止めるために、まず、第１に、原油が噴出をしている深海底下の原油流出口（e）の真上の部分に漁網で出来ている袋（b）、又は金網で出来ている袋（b）の内部に御影石（n）、又は大理石（n）を入れた袋（b）をピラミッド形状の正四角錐形状、又は円錐形状に積み重ねて小さい小山を形成したあと、御影石（n）、又は大理石（n）をいれた漁網で出来ている袋（b）、又は金網で出来ている袋（b）を使用して形成をしている小さい小山の上から、第2に、原油の流出の隙間を小さくする目的にて砕石（c）、又は小石（c）を入れた漁網で出来た袋（b）、又は金網で出来ている袋（b）を小さい小山の上から積み重ねて積層をしたあと、さらに、第３として、一段と、原油の流出の隙間を小さくする目的にて、帆布で出来ている袋（f）の内部に砂（g）を入れた、帆布で出来ている袋（f）を小さい小山の上から積み重ねて、海底下1,500mの地点にて450気圧の圧力にて暴噴をしている原油の噴出を止めている状態を図４に示している。図４は縦断面図で、図中の符号（b）は漁網で出来ている袋、又は金網で出来ている袋で、図中の符号（c）は砕石、又は小石で、図中の符号（d）は海底の地面で、図中の符号（e）は原油流出口で、図中の符号（h）は原油掘削用パイプで、図中の符号（f）は帆布で出来ている袋で、図中の符号（g）は砂で、図中の符号（ｋ）は海面で、図中の符号（n）は御影石、又は大理石である。
【図５】原油が噴出をしている深海底下の原油流出口（e）の真上の部分に漁網で出来ている袋（b）、又は金網で出来ている袋（b）の内部に御影石（n）、又は大理石（n）を入れた袋（b）と砕石（c）、又は小石（c）を入れた漁網で出来た袋（b）、又は金網で出来た袋（b）と、帆布で出来ている袋（f）の内部に砂（g）をいれた、帆布で出来ている袋（f）の3種類の袋である、（１）としては、御影石（n）、又は大理石（n）を10ton入れた袋（b）が2,000個程度で、（２）としては、砕石（c）、又は小石（c）を10ton入れた袋（b）が2,000個で、（３）としては、砂（g）を10ton入れた袋（f）が2,000個で、各々の重量が10tonづつ入っている袋を、各々2,000個づつを使用して、図５に示しているように、不規則にランダムに積層をして積み重ねて、破損をした掘削用パイプ（h）から原油が噴出をしている原油流出口（e）の真上に、図5に示しているようなドーム形状をした小さい小山を形成して原油の噴出を止めている状態を図5に示している。図5は縦断面図で、図中の符号（b）は漁網で出来ている袋、又は金網で出来ている袋で、図中の符号（C）は砕石、又は小石で、図中の符号（d）は海底の地面で、図中の符号（e）は原油流出口で、図中の符号（ｈ）は原油掘削用パイプで、図中の符号（f）は帆布で出来ている袋で、図中の符号（g）は砂で、図中の符号（ｋ）は海面で、図中の符号（n）は御影石、又は大理石である。
【図６】図６に示しているのは、米国のルイジアナ州の沖合の水深が1,500mの海底下（d）にて原油を掘削中に事故を起こしたプラットホーム（A）の概略図で、海底下4,500mの深い場所にある原油層（i）まで掘削をした段階にて掘削中のパイプ（h）が海底下（d）の地面上にて破損をした状態を図６に示している。図６は縦断面図で、図中の符号（d）は海底下の地面で、図中の符号（e）は原油流出口で、図中の符号（ｈ）は原油掘削用パイプで、図中の符号（i）は原油層で、矢印の方向は比重が重い海水が原油層（i）の方向に流入をする方向と、原油層（i）から比重が軽い原油が海水中に自噴をしている方向で、図中の符号（j）は原油掘削用パイプの内径で、図中の符号（ｋ）は海面で、図中の符号（m）は原油層（i）に侵入をした海水である。
【図７】図７に示しているのは、米国のルイジアナ州の沖合の水深が1,500mの海底下（d）にて原油を掘削中に事故を起こしたプラットホーム（A）の概略図で、海底下4,500mの深い場所にある原油層（i）まで掘削をした段階にて掘削中のパイプ（h）が海底下（d）の地面上にて破損をした状態を図７の（A）に示している。また図７の（B）に示しているのは、新しく原油掘削を行なう目的のプラットホーム（B）を示している。図７は縦断面図で、図中の符号（d）は海底下の地面で、図中の符号（e）は原油流出口で、図中の符号（ｈ）は原油掘削用パイプで、図中の符号（i）は原油層で、矢印の方向は比重が重い海水が原油層（i）の方向に流入をする方向と、原油層（i）から比重が軽い原油が海水中に自噴をしている方向で、図中の符号（j）は原油掘削用パイプの内径で、図中の符号（ｋ）は海面で、図中の符号（l）は別途、新しく原油層（i）から原油を抜き取るための原油掘削用のプラットホーム（B）で、図中の符号（m）は原油層（i）に侵入をした海水である。
【発明を実施するための形態】
【実施例１】
【０００７】
図2に示しているように、魚を獲ることを目的とした漁網で出来ている袋の内部に、建設、又は道路建設の現場にて使用する砕石（c）、又は小石（c）を、例えば、砕石（c）、又は小石（c）の重量で10tonを入れた袋（b）を2,000個程度を使用して、海底下1,500mの海底にて自噴をしている原油流出口の井戸の真上の部分を砕石（c）、又は小石（c）を１袋あたりの重量で10tonを入れた袋を2,000個程度を使用して、ピラミッド形状の正四角錐形状、又は円錐形状に積み重ねて原油が流出をする自噴の圧力を減少させて、原油流出の圧力を低下させて原油が自噴をするのを停止させることを実施例の（１）とする。
【実施例２】
【０００８】
図３に示しているように、魚を獲ることを目的とした無結節、又は蛙またの節目で出来ている漁網、又は金網で出来ている袋（b）の内部に砕石、又は小石を入れた袋（b）を使用して、深海底下の海底にて自噴をしている原油流出口の井戸の真上の部分を砕石（c）、又は小石（c）を入れた漁網で出来ている袋（b）、又は金網で出来ている袋（b）を使用して、ピラミッド形状の正四角錐形状、又は円錐形状に砕石（c）、又は小石（c）を入れた袋（b）を積み重ねて小さい小山を形成したあと、さらに、砕石（c）、又は小石（c）を入れた漁網で出来ている袋（b）、又は金網で出来ている袋（b）を積み重ねている小さい小山の上に、帆布で出来ている袋（f）の内部に砂を入れた、帆布で出来ている袋（f）を積み重ねて原油が流出をする自噴の圧力を減少させて、原油が自噴をする圧力を低下させて原油が自噴をするのを停止させることを特徴とする深海底下に於いて原油掘削の事故により原油が自噴をするのを停止させることを実施例の（２）とする。
【実施例３】
【０００９】
図４に示している海底下（d）の水深が１，５００mの地面にて原油掘削用のパイプ（h）が破損をして、海面上から6,000mの地下の原油を埋蔵している原油層（i）から、暴噴をする原油の自噴を止めるために下記の（１）、（２）、及び（３）の3段階にて実施をする実施工程を実施例の（３）とする。
【００１０】
（１）としては、第１の実施工程としては、ポリエステル製の樹脂で出来ている繊維で直径が7mmのロープが２本、又は同じくポリエステル製の樹脂で出来ている繊維で直径が12mmのロープが１本で出来ている、網目の直径が10cmの網目の漁網で出来ている袋（b）、又は金網で出来ている袋（b）の内部に墓石に類似の、1個の重量が500kg前後の御影石（n）、又は1個の重量が500kg前後の大理石（n）を20個程度を入れて、1個の袋の重量が10ton程度の袋を2,000個程度を使用して海底下（d）の水深が１，５００mの地面にて原油掘削用パイプ（h）が破損をして原油が海水中に暴噴をして自噴をしているのを止める目的にて、破損をした原油掘削用のパイプ（h）の上にピラミッド形状の正四角錐形状、又は円錐形状の小さい小山を形成して原油が噴出をする隙間を小さくするのを第１の実施工程とする。
【００１１】
（２）としては、第２の実施工程としては、500kg前後の御影石（n）、又は500kg前後の大理石（n）を20個程度を入れた袋（b）を2,000個程度を使用して形成をしたピラミッド形状をした正四角錐形状、又は円錐形状の小さい小山の上から1個の重量が500gから1kg前後の砕石（c）、又は1個の重量が500gから1kg前後の小石（c）を漁網で出来た袋（b）、又は金網で出来た袋（b）の内部に、1袋あたりの重量が10ton程度の袋（b）を2,000個程度を積み重ねて積層をして、原油が海水中を噴出する隙間を、上記にて説明をした、第１の実施工程の隙間よりも小さくすることを第2の実施工程とする。
【００１２】
（３）としては、第３の実施工程としては、原油が海水中に噴出をする隙間を、さらに、一段と小さくする目的にて、ピラミッド形状をした正四角錐形状、又は円錐形状をした小さい小山の1番上の上層部分として、帆布で出来た袋（f）、又は金網で出来ている袋（b）の内部に１袋当たりの重量が10ton程度の砂をいれた帆布で出来た袋（f）、又は砂を入れた金網で出来た袋（b）を2,000個程度を小さい小山の1番上の部分の上層部分に積み重ねて積層をすることにより、原油が海水中に噴出することを阻止して原油の流出を止めることを第3の実施工程とする。
【実施例４】
【００１３】
図５に示しているように、上記の実施例（３）にて説明をした、第1の実施工程にて使用する、ポリエステル製の樹脂で出来ている繊維で直径が7mmのロープが２本、又は同じくポリエステル製の樹脂で出来ている繊維で直径が12mmのロープが１本で出来ている、網目の直径が10cmの網目の漁網で出来ている袋（b）、又は金網で出来ている袋（b）の内部に墓石に類似の、1個の重量が500kg前後の御影石（n）、又は1個の重量が500kg前後の大理石（n）を20個程度を入れて、1個の袋の重量が10ton程度の袋を2,000個程度と、同じく上記の実施例（３）にて説明をした、第２の実施工程にて使用する、1個の重量が500gから1kg前後の砕石（c）、又は1個の重量が500gから1kg前後の小石（c）を漁網で出来た袋（b）、又は金網で出来た袋（b）の内部に、1袋あたりの重量が10ton程度の袋（b）を2,000個程度と、同じく上記の実施例（３）にて説明をした、第３の実施工程にて使用する、帆布で出来た袋（f）、又は金網で出来ている袋（b）の内部に１袋当たりの重量が10ton程度の砂をいれた帆布で出来た袋（f）、又は砂を入れた金網で出来た袋（b）を2,000個程度の3種類の袋である、（１）としては、御影石（n）、又は大理石（n）を10ton入れた袋（b）が2,000個で、（２）としては、砕石（c）、又は小石（c）を10ton入れた袋（b）が2,000個で、（３）としては、砂（g）を10ton入れた袋（f）が2,000個で、各々の重量が10tonづつ入っている袋を、各々2,000個づつを使用して、図５に示しているように、不規則にランダムに積層をして積み重ねて、破損をした掘削用パイプ（h）から原油が噴出をしている原油流出口（e）の真上に、図5に示しているようなドーム形状をした小さい小山を形成して原油の噴出を止めることを実施例の（４）とする。
【００１４】
また、図６に示しているように、米国のルイジアナ州の沖合の海底下（d）の水深が1,500mの場所にて原油掘削中に事故を起こして、海底下（d）の水深が1,500mの地面にて原油掘削用パイプ（h）が破損をして原油が海水中に自噴をするのを止めるのには、原油掘削用パイプ（h）を完全に密封する以外に、原油が埋蔵されている原油層（i）が空になるまで、原油層（i）から原油掘削用パイプ（h）を経由して海底下（d）まで原油は原油層（i）から垂直に4,500mを上昇して原油は自噴をする。この理由の、第1の理由は、海水の比重と原油の比重が異なり原油が軽くて海水が重いことが第1の理由である。第2は海底下（d）までが1,500mの水深と海底下（d）から原油層（i）までの水深が4,500mとすると、合計6,000mの水深となる。この合計が6,000mの水深の水圧は600気圧となることが、原油掘削用パイプ（h）を完全に密封する以外に原油層（i）に埋蔵されている原油が空になるまで原油は海水中に自噴をすることになるのが第2の理由である。
【００１５】
さらに、図７に示しているように、破損した原油掘削用パイプ（h）の近くに、原油層（i）の内部に埋蔵されている原油を抜き取る目的にて、別途図７の（B）に示している、新しいプラットフォーム（l）を設置をして原油掘削用パイプ（h）を原油層（i）まで掘削をして原油層（i）から、新しい掘削用パイプ（h）から上方向の矢印の方向に原油層（i）から原油を抜き取っても、逆に破損をした掘削用パイプ（h）から海水の流入量が増加をすることになる。原油層（i）に海水の流入量が増加をして図６、及び図７に示しているように、海水は原油より比重が重いので原油層（i）の下層部分の海水層（m）に海水が溜まることになるので、原油層（i）に海水の流入量が増加をすることは破損をした掘削用パイプ（h）から海水中に、より多くの原油が原油層（i）から海水中に原油が押し出されることになる。
【００１６】
結論（１）としては、上記の図６、及び図７にて説明したことから、原油の自噴を止めるのには約450気圧の水圧がかかっている海水が、破損をした内径が55cmの掘削用パイプ（h）の内部に海水が流入するのを遮断する以外に、原油が海水中に自噴するのを止める手段はないといえる。上記にて説明したことから、原油は自噴をしているのではなくて、海水が流入をする450気圧の水圧により押し出されているからである。
【００１７】
結論（２）としては、150気圧の水圧がかかっている海水が、破損をした内径が55cmの掘削用パイプ（h）の内部に海水が流入しないようにしなければ、原油層（i）が空になるまで原油は海水中に、海水が原油層（i）に流入するときの水圧である450気圧の水圧により原油は図６の（A）、及び図７の（A）に示している破損をした掘削用パイプ（h）を経由して、原油は原油層（i）から450気圧の水圧で押し出されて海水中に原油が暴噴をして流出することになるので、海洋汚染は拡大をすることになる。
【００１８】
結論（３）としては、ルイジアナ州の沖合の石油掘削用パイプ（h）が海底下（d）の水深が1,500mの地点にて破損をしたのが2010年4月20日で、その後、数々の復旧工事を行ったけれども、復旧工事は失敗をした。最後の復旧工事として図７の（B）に示している、別途、新しいプラットホーム（l）から原油層（i）に推定埋蔵量が数億トンが埋蔵をされている原油を抜き取る目的にて、プラットホーム（l）から原油掘削用パイプ（h）を掘削中で、2010年8月下旬ごろには原油掘削用パイプ（h）は原油層（i）に到着をする予定である。もし、上記にて説明をした、結論（１）、及び結論（２）の考察が正しければ、例え、新しい原油掘削用パイプ（h）から原油を抜き取っても、原油層（i）に埋蔵されている全ての埋蔵量の原油を抜き取ってしまうまでの期間は、原油層（i）の内部には海水が600気圧の水圧にて流入をするので、当然、原油は海水中に流出を続けることになる。
【００１９】
結論（４）としては、上記にて説明したことから、海底下（d）の水深が1,500mの地点にて破損をした石油掘削用パイプ（h）を御影石、又は大理石で出来ている重量が500kg程度の、例えば、墓石に類似の御影石（n）、又は大理石（n）、又は砕石（c）、又は小石（c）を入れたポリエステル樹脂の繊維で出来ている漁網で出来ている袋（b）、又は金網で出来ている袋（b）、又は砂（g）を入れた帆布で出来ている袋（f）を使用して水圧が150気圧がかかっている海水が、破損をした原油掘削用パイプ（h）の内部に海水が流入をするのを完全に阻止する以外に、原油層（i）から海水中に原油の流出を止めることは出来ないことになる。
【００２０】
また、噴出をしている原油は高温高圧なので、金網で出来ている袋（b）の内部に重量が500kg前後の、例えば、（１）としては、御影石（n）、又は大理石（n）を入れた金網の袋（b）、（２）としては、重量が500gから1kg前後の砕石（c）、又は重量が500gから1kg前後の小石（c）を入れた金網の袋（b）、（３）としては、砂（g）を入れた帆布で出来た袋（f）、又は砂（g）を入れた金網で出来た袋（b）の（１）、（２）、及び（３）の３種類に分類することが出来る大きい石、小さい石、及び砂の３種類を、金網で出来ている袋（b）に入れないと、暴噴をしている原油は高温高圧なので、漁網で出来た袋（b）は耐熱性がないので溶解をする可能性がある。
【００２１】
さらに、暴噴をしている原油が高温高圧にて化学繊維の、漁網で出来ている袋（b）の内部に御影石（n）、又は大理石（n）を入れる場合、最初に金網で出来ている袋（b）の内部に御影石（n）、又は大理石（n）を入れたあと、その後、再度、金網で出来ている袋（b）の内部に御影石（n）、又は大理石（n）を入れたままの状態にて、漁網で出来ている袋（b）の内部に入れて、内側が金網で出来た袋（b）で、外側が漁網で出来た袋（b）の２重構造とするならば、例え、高温高圧の原油流出の井戸でも、原油流出の井戸を塞ぐことが出来る。
【００２２】
また、上記にて説明をした内容を要約すると、金網で出来ている袋（b）が内側で、漁網で出来ている袋（b）が外側の２重構造をした袋（b）の内部に御影石（n）、又は大理石（n）を入れて使用すると、吊り下げるときの強度は漁網で出来ている袋（b）の強度で、原油が流出をしている高温高圧の原油の井戸を塞ぐときの強度は金網で出来ている袋（b）が分担をすることになる。
【００２３】
さらに、図７に示している原油層（i）の内部温度としては、例えば、600度C以上で気圧は600気圧の水圧が掛かっている高温高圧の状態である。この高温高圧の原油層（i）の内部に破損をした掘削用パイプ（h）から海水が原油層（i）の内部に侵入をすると、原油層（i）の内部に侵入をした海水は、原油層（i）の内部に於いて水蒸気爆発を起こしている。この水蒸気爆発を起こしている原油層（i）の内部温度、及び内部圧力は、さらに、一段と上昇をしていると考えてよい。例えば、原油層（i）の内部温度は水蒸気爆発を起こすことにより600度C以上と変化をしないとしても、原油層（i）の内部圧力は600気圧から上昇をして圧力は1,000気圧以上の圧力となっている可能性がある。圧力が上昇をすれば当然原油層（i）の内部温度も上昇することになるので、原油層（i）の内部温度は600度Cから上昇をして1,000度C以上の高温になっている可能性がある。
【００２４】
また、上記にて説明をしたように、原油層（i）の内部に海水が浸入をすることにより、原油層（i）の内部温度、及び内部気圧が超高温高圧の状態となっているとするならば、図７の（B）に示している、別途、新しいプラットホーム（l）から原油掘削用パイプ（h）が原油層（i）に、現在の状況では8月下旬ごろに到達をする予定であるとのことであるが、もし、原油層（i）に原油掘削用パイプ（h）が到達をすると超高温高圧の、例えば、1,000度C以上で1,000気圧以上の水蒸気、及び原油がガス化をしたガスが暴噴をすることになる可能性がある。この暴噴により図７の（B）に示しているプラットホーム（l）の機器、例えば、バルブなどの機器類が破損をしてプラットホーム（l）のコントロールは制御不能となり、瞬時に爆発延焼をして、再び再度、図７の（B）に示している新しいプラットホーム（l）は海底に沈むことになる可能性が高いといえる。このように危険性が高い、図７の（B）に示している、新しいプラットホーム（l）からの掘削用パイプ（h）の掘削工事は中断をして、図６、及び図７に示している破損をした掘削用パイプ（h）から噴出をしている原油を止めることを第１としなければ、より一段と悪い事態である、第２の流出事故を引き起こすことになる可能性が高いといえる。
【００２５】
さらに、上記にて説明をした、金網で出来た袋（b）が内側で、外側の袋を漁網で出来た袋（b）の構造とした2重構図の袋（b）の内部に御影石（n）、又は大理石（n）を入れるのと同様の理由にて砕石（c）、又は小石（c）も2重構造の袋（b）の内部に入れて使用するとよい。その理由は、図4に示している原油流出口（e）から暴噴をしている原油の温度は、火山の噴火口に類似の超高温高圧の温度で噴出をしているのがその理由で、化学繊維の漁網で出来ている袋（b）は高温にては溶解をするか燃えることになる。
【００２６】
また、上記にて説明をした理由と同様に、帆布で出来た袋（f）も金網で出来た袋（b）の内部に入れて、さらに、漁網で出来た袋（b）の内部に重ねて入れた構造をした3重構造とした、1番内側の袋が帆布で出来た袋（f）で、2番目の内側の袋が金網で出来た袋（b）で、1番外側の袋が漁網で出来た袋（b）の構造をした、3重構造をした袋の1番内側の帆布で出来た袋（f）の内部に砂（g）を入れた袋を使用して、超高温高圧の原油が流出をする隙間を極く小さくして、原油の流出圧力を極く小さくすることにより原油の流出を止めることを目的とする。
【００２７】
さらに、上記にて説明した、金網で出来た袋（b）と漁網で出来た袋（b）の2重構造をした袋の内部に御影石（n）、又は大理石（n）、又は砕石（c）、又は小石（c）を入れて、さらに、帆布で出来た袋（f）と、金網で出来た袋（b）と、漁網で出来た袋（b）の3重構造をした袋の内部に砂（g）を入れるのであれば、帆布で出来た袋（f）の内部に砂（g）を10ton程度入れても、荷重に耐えて、耐熱性も向上するので海底下1,500mの目的地である原油流出口（e）の真上に砂（g）を積層して積み重ねることが出来ることになる。
【産業上の利用可能性】
【００２８】
本発明は、深い海底に於いて原油の自噴、又は噴出をしている深海底下の、原油が流出をしている井戸の出口を封鎖する手段として、御影石、又は大理石、又は砕石、又は小石を入れた金網で出来ている袋、又は漁網で出来ている袋を使用して深海底下にピラミッド形状、又は円錐形状をした、小さい小山を形成して原油が噴出をしている井戸の出口を封鎖することが出来る。
【図１】
2012007316.tif 000003
【図２】
2012007316.tif 000004
【図３】
2012007316.tif 000005
【図４】
2012007316.tif 000006
【図５】
2012007316.tif 000007
【図６】
2012007316.tif 000008
【図７】
2012007316.tif 000009